(57)【要約】【課題】  本体金具１２０の中央方向かつ本体金具１２０に対する水平方向へ蓄電池３０００をスライドさせる抜き出し空間が形成することで、容易に蓄電池３０００を交換できるようにする。【解決手段】  照明器具１０００は、長尺形状をした本体金具１２０と、本体金具１２０に取り付けられる光源部２０００と、蓄電池３０００と、本体金具１２０の長手方向の端部側に設けられ、蓄電池３０００を収納する収納空間が形成された蓄電池取付具１６０と、を備え、光源部２０００が本体金具１２０から取り外された状態において、本体金具１２０の中央方向かつ本体金具１２０に対する水平方向へ蓄電池３０００をスライドさせる抜き出し空間が形成され、本体金具１２０の中央方向かつ本体金具１２０に対する水平方向へ蓄電池３０００をスライドさせる抜き出し空間が形成することで、容易に蓄電池３０００を交換することができる。【選択図】  図３
2019050224.tif 000002
【特許請求の範囲】
【請求項１】
長尺形状をした本体金具と、
前記本体金具に取り付けられる光源部と、
蓄電池と、
前記本体金具の長手方向の端部側に設けられ、前記蓄電池を収納する収納空間が形成された蓄電池取付具と、
を備え、
前記光源部が前記本体金具から取り外された状態において、前記本体金具の中央方向かつ前記本体金具に対する水平方向へ前記蓄電池をスライドさせる抜き出し空間が形成された照明器具。
【請求項２】
前記本体金具は、前記蓄電池が前記本体金具の中央方向へスライドするのを規制する蓄電池取付金具を備えた請求項１に記載の照明器具。
【発明の詳細な説明】
【技術分野】
【０００１】
停電などの非常時に点灯する非常用照明器具に関するものである。
【背景技術】
【０００２】
従来、天井などの被取付部に取り付けられる照明器具は、点灯装置を被取付部に対して垂直になるように照明器具内に配置（例えば、特許文献１参照。）したり、点灯装置を天井などの被取付部に取り付けられる面の短手方向中央近傍に配置し、電線を点灯装置の両側面に配置（例えば、特許文献２参照）したりするものがある。
【先行技術文献】
【特許文献】
【０００３】
【特許文献１】特許４３７６７２０号（例えば、図１参照。）
【特許文献２】特許４４２３８７５号（例えば、段落［００１４］〜段落［００１５］参照。）
【特許文献３】実開昭５４−１３２９８２号
【特許文献４】実開昭５７−２５４５９号
【発明の概要】
【発明が解決しようとする課題】
【０００４】
しかしながら、特許文献１における照明器具においては、本体金具の短手方向断面の大きさとほぼ同じ大きさの短手方向断面の点灯装置が配置しているため、その他の部品が点灯装置に配置される投影面内には設置できないという課題があった。また、特許文献２における照明器具においては、点灯装置を被取付部に取り付けされる面の短手方向中央近傍に配置したため、取付孔、電源引込孔などの配置が制限されるという課題があった。
【０００５】
近年、非常用照明器具は、大規模建築物や地下街等における事故・災害などからの確実な避難誘導を目的として、蓄電池等の非常電源による非常点灯時間を従来と比較し長時間化するような要望が増加している。
非常電源による非常点灯時間の長時間化を実現するには、非常用照明器具に搭載する蓄電池の容量を増やす必要があり、容量を増やす方法としては従来の蓄電池より大型の蓄電池を用いて容量を増やす方法と、搭載する蓄電池の個数を増やす方法がある。既存の照明器具に大型の蓄電池を配置したり、複数の蓄電池を搭載したりすると、天井などに固定する取付孔や電源線を引き入れるための電源孔などを設置する場所を確保するために、非常用照明器具自体の大型化が必要となっていた。
【０００６】
本発明は、本体金具の中央方向かつ本体金具に対する水平方向へ蓄電池をスライドさせる抜き出し空間が形成することで、容易に蓄電池を交換できるようにすることを目的とする。
【課題を解決するための手段】
【０００７】
本発明における照明器具は、長尺形状をした本体金具と、前記本体金具に取り付けられる光源部と、蓄電池と、前記本体金具の長手方向の端部側に設けられ、前記蓄電池を収納する収納空間が形成された蓄電池取付具と、を備え、前記光源部が前記本体金具から取り外された状態において、前記本体金具の中央方向かつ前記本体金具に対する水平方向へ前記蓄電池をスライドさせる抜き出し空間が形成されたことを特徴とするものである。
【発明の効果】
【０００８】
本体金具の中央方向かつ本体金具に対する水平方向へ蓄電池をスライドさせる抜き出し空間が形成することで、容易に蓄電池を交換することができる。
【図面の簡単な説明】
【０００９】
【図１】実施の形態１に示す照明器具の斜視図である。
【図２】図１に示す照明器具の分解斜視図である。
【図３】図２に示す照明器具の本体部の分解斜視図である。
【図４】図３に示す本体部のソケット部の分解斜視図である。
【図５】図３に示す本体部の蓄電池固定具の斜視図である。
【図６】図２に示す照明器具の本体部の斜視図である。
【図７】図６に示す本体部の下面図である。
【図８】図６に示す本体部の点灯装置ユニットを分解した分解斜視図である。
【図９】図７に示す本体部のＡ−Ａ断面を表す断面図である。
【図１０】実施の形態２に示す照明器具の本体部の斜視図である。
【図１１】図１０に示す本体部の点灯装置ユニットを分解した分解斜視図である。
【図１２】図１０に示す本体部の下面図である。
【図１３】図１２に示す照明器具の本体部のＥ−Ｅ断面を表す断面図である。
【発明を実施するための形態】
【００１０】
実施の形態１．
図１は、実施の形態１に示す照明器具の斜視図、図２は、図１に示す照明器具の分解斜視図である。
【００１１】
照明器具１０００は、光源である蛍光ランプ２０００が取り付けられる本体部１００と、この本体部１００に蓄電池３０００が取り付けられた状態で、反射板取付つまみねじ１１０によって本体部１００に取り付けられる反射板２００で構成されている。
【００１２】
図３は、図２に示す照明器具の本体部の分解斜視図である。
本体部１００は、天井などの被取付部に取り付けられる長尺状の本体金具１２０と、この本体金具１２０に取り付けられ、照明器具１０００の外部から引き込まれた電源電線が接続される端子台１３０と、この本体金具１２０に取り付けられる点灯装置ユニット１４０と、本体金具１２０の長手方向の両端部に設けられ、蛍光ランプ２０００が取り付けられるソケット部１５０と、蓄電池３０００を本体金具１２０に固定する蓄電池固定具１６０と、本体金具１２０に取り付けられる制御装置１７０と、を備える。
【００１３】
点灯装置ユニット１４０は、本体金具１２０に取り付けられる取付金具１４１と、この取付金具１４１に取り付けられる点灯装置１４２及び点検用スイッチ１４３で構成される。
点灯装置１４２は、商用電源が供給されている常用時に、蛍光ランプ２０００を点灯させるものである。
この点灯装置１４２は、ケース本体１４２ａと、このケース本体１４２ａに収納され、蛍光ランプ２０００を点灯させる点灯回路装置（図示しない。）と、この点灯回路装置を覆うように、ケース本体１４２ａに取り付けられるケースカバー１４２ｂとからなる。この点灯装置１４２の外殻は、ケースカバー１４２ｂをケース本体１４２ａに取り付けたとき直方体形状をなし、幅方向に対して高さ方向が短い形状である。
点検用スイッチ１４３は、直方体形状をなす点検スイッチ本体部１４３ａと、点灯スイッチ本体部１４３ａの内部に有するスイッチを操作するための引き紐１４３ｂと、この引き紐１４３ｂに取り付けられている目隠し板１４３ｃからなる。
【００１４】
この点検用スイッチ１４３は、端子台１３０から点灯装置１４２及び制御装置１７０に接続されている電源線の間に介在するように設けられており、点検用スイッチ１４３の引き紐を引くことによって、一時的に商用電源から点灯装置１４２及び制御装置１７０への電力供給を遮断して停電状態を模擬し、蓄電池３０００によって蛍光ランプ２０００が点灯され、蓄電池３０００の状態（寿命や接続不良による充電不良など）を点検するものである。
【００１５】
端子台１３０は、ネジ等の締結部材によって本体金具１２０に固定されており、照明器具１０００の外部から引き込まれた電源線が接続される。
制御装置１７０は、ネジ等の締結部材によって本体金具１２０に固定されており、端子台１３０、点灯装置１４２、蛍光ランプ２０００及び蓄電池３０００にそれぞれ電線が接続されている。
この制御装置１７０は、商用電源が供給されているときは蓄電池３０００を充電するとともに、点灯装置１４２が出力する電力を蛍光ランプ２０００に供給させるように電気的に接続し、商用電源が供給されない状態、例えば停電時などの災害時に、蓄電池３０００からの電力によって動作し、蛍光ランプ２０００を点灯させる。
【００１６】
反射板２００は、反射板平面部２１０と、この反射板平面部２１０の両端から被取付部方向へ幅広になるように傾斜する反射板傾斜部２２０と、長手方向の両端部に取り付けられる端板２３０と、から形成される。
反射板平面部２１０は、長手方向の端部に設けられ、本体部１００に取り付けたときに後述するソケット１５２が挿入されるソケット用開口部２１１と、反射板２００を本体部１００に固定するための反射板取付つまみねじ１１０が挿入される反射板取付孔２１２と、点検用スイッチ１４３の引き紐１４３ｂ部分が挿通するスイッチ開口部２１３を有している。
この反射板２００は、本体部１００に取り付けられた点灯装置１４２、制御装置１７０、端子台１３０、蓄電池３０００、点検用スイッチ１４３を覆うように、反射板取付つまみねじ１１０によって本体部１００に取り付けられる。
スイッチ開口部２１３は引き紐１４３を操作しやすいように楕円形に形成されており、反射板２００の内部が目立たないように、目隠し板１４３ｃによって塞がれている。
【００１７】
次に、ソケット部１５０の詳細について説明する。
図４は、図３に示す本体部のソケット部の分解斜視図である。
【００１８】
ソケット部１５０は、本体金具１２０に取り付けられるとともに反射板２００が固定されるソケット取付金具１５１と、このソケット取付金具１５１に取り付けられるソケット１５２からなる。
【００１９】
ソケット取付金具１５１は、ソケット取付金具平面部１５１ａと、立上部１５１ｂとからなる略「コ」の字状の断面形状をなしている。
ソケット取付金具平面部１５１ａは、ソケット１５２を取り付けるためのソケット取付開口部１５１ａａと、反射板２００を本体部１００に固定するための反射板取付つまみねじ１１０が螺合する取付ねじ孔１５１ａｂを有している。
立上部１５１ｂは、本体金具１２０の内側と嵌合する爪部１５１ｂａを有している。
ソケット１５２は、蛍光ランプ２０００の口金（例えばＧ１３口金）が取り付けられる受金部１５２ａと、ソケット取付金具１５１に取り付けられる固定溝１５２ｂを有する。
このソケット１５２は、固定溝１５２ｂがソケット取付開口部１５１ａａの周枠部に差し込まれ、ソケット取付金具１５１に取り付けられる。
【００２０】
次に、蓄電池取付具１６０の詳細について説明する。
図５は、図３に示す本体部の蓄電池固定具の斜視図である。
蓄電池取付具１６０は、蓄電池差込金具１６１と、蓄電池取付金具１６２と、取付台１６３と、この取付台１６３に蓄電池取付金具１６２を取り付ける電池取付金具用つまみネジ１６４を有する。
【００２１】
蓄電池差込金具１６１は、本体金具１２０とソケット取付金具１６２の間に配置され、本体金具１２０にネジ等の締結部材によって固定される。これにより、本体金具１２０の内面と蓄電池差込金具１６１の内面の間に蓄電池３０００の一部を差し込める空間を形成する。
【００２２】
取付台１６３は、蓄電池取付金具１６２が電池取付金具用つまみネジ１６４により固定される金具取付面１６３ａと、取付台立上部１６３ｂと、本体金具１２０に取り付けられる本体取付部１６３ｃから形成されており、本体取付部１６３ｃが本体金具１２０にネジ等の締結部材によって固定されている。
【００２３】
蓄電池取付金具１６２は、電池取付金具用つまみネジ１６４が挿入され、取付台１６３に固定されるための蓄電池取付金具固定孔１６２ａを有している。この蓄電池取付金具１６２は、取付台１６３に固定されることで、蓄電池３０００の蓄電池差込金具１６１により保持されている側と反対の側を保持する。
【００２４】
このように蓄電池取付具１６０は、蓄電池３０００を蓄電池差込金具１６１の内面側の空間に収納した状態で、蓄電池取付金具１６２をネジで本体取付部１４１ａに固定することによって、蓄電池３０００を本体金具１２０に固定することができる。
【００２５】
なお、蓄電池３０００は、蓄電池取付金具１６２を取付台１６３から取り外し、蓄電池差込金具１６１と本体金具１２０が形成する空間から抜き出すことで、交換することが可能となっている。
【００２６】
次に本体部１００の詳細について説明する。
図６は、図２に示す照明器具の本体部の斜視図であり、図７は、図６に示す本体部の下面図である。
【００２７】
本体金具１２０は、被取付部に面する略長方形状の板状の本体金具取付部１２１と、この本体金具取付部１２１の短手方向の両端から折り曲げられて形成される本体金具立上部１２２とを有し、略「コ」の字状の形状をなしている。
本体金具取付部１２１は、中央部よりも長手方向の両側端側にそれぞれ取付孔１２１ａが設けられ、また中央部には第一の電源孔１２１ｂ、中央部よりも長手方向の端部寄りの位置に配置される点灯装置１４２側には第二の電源孔１２１ｃが設けられている。
【００２８】
取付孔１２１ａは、天井や壁等の被取付面に照明器具１０００を固定するために使用する孔である。
【００２９】
第一の電源孔１２１ｂは、商用電源からの電力を照明器具１０００に供給するための入力用電線を本体部１００（照明器具１０００）内外へ挿通する孔である。なお、商用電源からの電力を端子台１３０を介して他の照明器具へ供給するための渡り電線を使用する場合に、この第一の電源孔１２１ｂに渡り電線を挿通する場合がある。
【００３０】
第二の電源孔１２１ｃは、第一の電源孔１２１ｂと同様の機能を持っており、第一の電源孔１２１ｂと大きさを変えて、挿通される電線径が太いものを引き込むことをできるようにしたり、あるいは、第一の電源孔１２１ｂとは異なる本体金具取付部１２１の位置に配置することによって、被取付部に本体部１００に取り付ける際に、既に設けられている電源線と本体部１００を取り付けたい位置とをあわせることをできるようにしたりするための孔である。
本体金具立上部１２２は、本体金具取付部１２１の短手方向から折り曲げられて形成されることにより、本体金具取付部１２１の長手方向の撓みを抑制するとともに、ソケット取付金具１５１などの部品を取り付ける部品取付部となる。
【００３１】
次に、点灯装置ユニット１４０を構成する取付金具１４１及び点灯装置１４２の詳細について説明する。
図８は、図６に示す本体部の点灯装置ユニットを分解した分解斜視図であり、図９は、図７に示す本体部のＡ−Ａ断面を表す断面図である。
【００３２】
取付金具１４１は、断面が略Ｌ字形状になっており、一面に本体金具取付部１２１に固定される本体取付部１４１ａ、他面に点灯装置１４２が固定される点灯装置取付部１４１ｂが形成されている。また、取付金具１４１は、さらに、点灯装置取付部１４１ｂが対向するように、本体取付部１４１ａから折り曲げられて、点検用スイッチ１４３が取り付けられる点検用スイッチ取付部１４１ｃが形成されている。
【００３３】
本体取付部１４１ａは、第二の電源孔１２１ｃと係り合う位置に、電源孔用開口部１４１ａａを有している。
【００３４】
点検用スイッチ取付部１４１ｃは、点灯装置取付部１４１ｂに対向する面に、点検用スイッチ１４３を固定する固定部が形成されている。
【００３５】
点灯装置１４２は、取付金具１４１の点灯装置取付部１４１ｂに取り付けられて本体金具１２０に固定され、このとき点灯装置１４２の取付面は、本体部１００（本体金具取付部１２１）に対して略垂直になっている。
【００３６】
点灯装置１４２の幅Ｗは、本体金具１２０の短手方向の長さＬに対してほぼ等しく（幅Ｗ≦長さＬ）、点灯装置１４２の高さＨは、幅Ｗよりも短い長さ（高さＨ＜幅Ｗ）である。
【００３７】
そのため、点灯装置１４２の高さＨは本体金具１２０の短手方向の長さＬよりも短いので、点灯装置１４２を点灯装置取付部１４１ｂに取り付けることにより、本体金具取付部１２１（本体取付部１４１ａ）に対する垂直方向に、作業者が本体部１００を天井面などの被取付部に取り付ける作業空間（図９に示すＣ部）ができ、作業者の作業性を向上させることができる。
【００３８】
また、点灯装置１４２を点灯装置取付部１４１ｂに取り付けることにより、点灯装置取付部１４１ｂに対する水平方向に、電源線を通す第二の電源孔１２１ｃを設けたり部品を設置したりする設置空間（図９に示すＤ部）ができる。
【００３９】
このように、点灯装置１４２の取付面を取付金具１４１により本体金具１２０の本体金具取付部１２１に対し垂直方向に配置することで、本体金具取付部１２１に部品の設置が可能なスペースを確保することができるとともに、部品配置の効率化をすることができる。
【００４０】
さらに、点灯装置ユニット１４０により、点灯装置１４２と点検用スイッチ１４３を対向した状態で、本体金具１２０に取り付けるので、本体金具１２０の長手方向にも部品を配置する設置空間ができる。そのため、この実施の形態では本体金具１２０の両端側にそれぞれ蓄電池３０００を設置することができ、従来の本体金具１２０の大きさとほぼ同じでありながら、蓄電池３０００の容量の大型化が実現できる。
【００４１】
また、点灯装置１４２と点検用スイッチ１４３を、取付金具１４１に取り付けて一体化することにより、照明器具１０００を組立てするときの作業性を向上させることができる。
【００４２】
この実施の形態では、点灯装置１４２の取付面を配置する方向（以下、単に配置方向という。）が、本体金具１２０の本体金具取付部１２１に対して略垂直とする場合について説明したが、点灯装置１４２の配置方向は垂直に限らず、本体金具１２０のスペースや反射板２００の内側（本体金具１２０側）の形状などに応じて、配置方向を鋭角にしてもよいし、鈍角にしてもよい。
【００４３】
この実施の形態では、点灯装置１４２の取付面を本体金具取付部１２１に対し垂直に配置した場合について説明したが、制御装置１７０を本体金具取付部１２１に対して略垂直に配置することでも同様の効果を得ることができる。
【００４４】
なお、この実施の形態では、光源として蛍光ランプ２０００を用いる場合について説明したが、ＬＥＤランプや有機ＥＬなどの光源であってもかまわない。また、非常用照明器具に用いるＬＥＤランプはガラス管を用いた直管形ＬＥＤランプが望ましい。
【００４５】
また、この実施の形態における照明器具１０００では、１本の蛍光ランプ２０００を用いる場合について説明したが、複数本のランプを用いてもよい。また、複数本のランプを用いる場合は、ランプの種類を１種類とせずに、複数の種類のランプを組み合わせ（例えば、蛍光ランプとＬＥＤランプを組み合わせ）てもよい。蛍光ランプとＬＥＤランプの組み合わせの具体的な実施例として、例えば常用点灯と非常点灯を兼用する非常用照明器具が最適であり、通常時はＬＥＤランプが単独で点灯、もしくはＬＥＤランプおよび蛍光ランプがともに点灯し、商用電源が切断されたなどの非常時は蛍光ランプが点灯する構成とするとよい。
【００４６】
また、この実施の形態では、光源である蛍光ランプ２０００を照明器具１０００から着脱が可能な場合について説明したが、光源にＬＥＤランプや有機ＥＬなどを用いる場合にあっては、光源が照明器具に着脱可能な構成としてもよいし、光源が照明器具に内蔵される構成としてもよい。
【００４７】
この実施の形態では、蓄電池取付金具１６２は蓄電池取付金具用つまみネジ１６４が貫通する蓄電池取付金具固定孔１６２ａが設けられているが、この孔の形状は正円形でなくてもよく、長円形などであってもよい。このように蓄電池取付金具固定孔１６２ａの孔形状を長円形にした場合、蓄電池取付金具１６２を取付台１６３から取り外すことなく、蓄電池取付金具用つまみネジ１６４を緩めた状態で、蓄電池取付金具１６２を横方向にスライドさせることができ、蓄電池３０００を交換することが可能となる。
【００４８】
本実施の形態では、第一の電源孔１２１ｂが通常使用する電源孔として説明したが、通常使用する電源孔は第一の電源孔１２１ｂ、第二の電源孔１２１ｃのどちらでもよく、両方を通常使用してもよい。
【００４９】
実施の形態２．
本実施の形態における照明器具の構造は、実施の形態１と同じため、実施の形態と同符号を付し説明を省略し、実施の形態１と異なる取付金具の形状について詳細に説明する。
【００５０】
図１０は、実施の形態２に示す照明器具の本体部の斜視図であり、図１１は、図１０に示す本体部の点灯装置ユニットを分解した分解斜視図であり、図１２は、図１０に示す本体部の下面図であり、図１３は、図１２に示す照明器具の本体部のＥ−Ｅ断面を表す断面図である。
【００５１】
この実施の形態の取付金具１４１’は、断面が略コ字形状になっており、本体金具取付部１２１に固定される本体取付部１４１ａと、この本体取付部１４１ａの短手方向の一端から折り曲げられて形成され、点灯装置１４２が固定される点灯装置取付部１４１ｂと、本体取付部１４１ａの短手方向の他端から折り曲げられて形成され、点灯装置取付部１４１ｂが対向するように、点検用スイッチ１４３が取り付けられる点検用スイッチ取付部１４１ｄで構成されている。
【００５２】
本体取付部１４１ａは、第二の電源孔１２１ｃと係り合う位置に、電源孔用開口部１４１ａａを有している。
【００５３】
点検用スイッチ固定部１４１ｄは、点灯装置取付部１４１に対向し、本体取付部１４１ａの長手辺全辺から立ちあがり形成されている。
【００５４】
取付金具１４１’は、取付金具１４１’の内側に商用電源から端子台１３０に接続される配線および端子台１３０から点灯装置１４２および制御装置１７０へ電源線３００を配置し、取付金具１４１’の外側に点灯装置１４２および制御装置１７０からソケット１５２へのランプ線４００を配置する。
【００５５】
そのため、取付金具１４１’は、点灯装置取付部１４１ｂもしくは点検用スイッチ取付部１４１ｄをランプ線４００と電源線３００の間に介在させるように配置されることにより、ランプ線４００からの電源線３００へのノイズの漏洩を抑制させることができ、ノイズの低減をさせることができる。
【００５６】
さらに、本体部１００は、端子台１３０を介してあるいは直接、アース線に電気的に接続されており、また、取付金具１４１’は、本体部１００に直接または金属製のネジなどの締結金具を介して電気的に接続される。そのため、本体部１００および取付金具１４１’は、アース接地されている。
このように、本体部１００及び取付金具１４１’はアース接地されることにより、ランプ線４００から電源線３００へのノイズの漏洩をより抑制させることができる。
【００５７】
また、この実施の形態においても、実施の形態１と同様の効果を得ることができる。
【符号の説明】
【００５８】
１０００  照明器具、１００  本体部、１１０  反射板取付つまみねじ、１２０  本体金具、１２１  本体金具取付部、１２１ａ  取付孔、１２１ｂ  第一の電源孔、１２１ｃ  第二の電源孔、１２２  本体金具立上部、１３０  端子台、１４０  点灯装置ユニット、１４１、１４１’  取付金具、１４１ａ  本体取付部、１４１ａａ  電源孔用開口部、１４１ｂ  点灯装置取付部、１４１ｃ、１４１ｄ  点検スイッチ取付部、１４２  点灯装置、１４２ａ  ケース本体、１４２ｂ  ケースカバー、１４３  点検用スイッチ、１４３ａ  点検スイッチ本体部、１４３ｂ  引き紐、１４３ｃ  目隠し板、１５０  ソケット部、１５１  ソケット取付金具、１５１ａ  ソケット取付金具平面部、１５１ａａ  ソケット取付開口部、１５１ａｂ  取付ねじ孔、１５１ｂ  立上部、１５１ｂａ  爪部、１５２  ソケット、１５２ａ  受金部、１５２ｂ  固定溝、１６０  蓄電池固定具、１６１  蓄電池差込金具、１６２  蓄電池取付金具、１６２ａ  蓄電池取付金具固定孔、１６３  取付台、１６３ａ  金具取付面、１６３ｂ  取付台立上部、１６３ｃ  本体取付部、１６４  電池取付金具用つまみネジ、１７０  制御装置、２００  反射板、２１０  反射板平面部、２１１  ソケット用開口部、２１２  反射板取付孔、２１３  スイッチ開口部、２２０  反射板傾斜部、２３０  端板、３００  電源線、４００  ランプ線、２０００  蛍光ランプ、３０００  蓄電池。
【図１】
2019050224.tif 000003
【図２】
2019050224.tif 000004
【図３】
2019050224.tif 000005
【図４】
2019050224.tif 000006
【図５】
2019050224.tif 000007
【図６】
2019050224.tif 000008
【図７】
2019050224.tif 000009
【図８】
2019050224.tif 000010
【図９】
2019050224.tif 000011
【図１０】
2019050224.tif 000012
【図１１】
2019050224.tif 000013
【図１２】
2019050224.tif 000014
【図１３】
2019050224.tif 000015